(57)【要約】【課題】回転体に搭載されたスイッチと本体との間に有線配線がない複合スイッチ装置を提供することを目的とする。【解決手段】複合スイッチ装置１０１は、固定体１と、固定体１に対して回転可能に支持された回転体３と、回転体３に設けられた複数のスイッチ６と、複数のスイッチ６と交信する固定体１に設けられた制御部９と、制御部９に接続された固定体側コイルＣ２と、固定体側コイルＣ２によって電磁誘導される回転体側コイルＣ４と、を備え、制御部９が、固定体側コイル９に給電する給電回路ＳＣと、固定体側コイルＣ２に流れる電流値を検出する電流検出回路ＫＣと、検出された電流値に応じた信号を出力する処理回路ＴＣと、を有し、複数のスイッチ６が、回転体側コイルＣ４に対して並列に接続され、回転体側コイルＣ４と複数のスイッチ６との間には、それぞれ複数の抵抗体８が接続され、複数の抵抗体８のそれぞれは、抵抗値が異なることを特徴とする。【選択図】図５
2015026426.tif 000002
【特許請求の範囲】
【請求項１】
固定体と、
前記固定体に対して回転可能に支持された回転体と、
該回転体の回転を検出する回転検出手段と、
前記回転体に設けられた複数のスイッチと、
前記回転体に設けられた複数のスイッチと交信する前記固定体に設けられた制御部と、を備えた複合スイッチ装置において、
前記固定体には、前記制御部に接続された固定体側コイルを有し、
前記制御部は、前記固定体側コイルに給電する給電回路と、前記固定体側コイルに流れる電流値を検出する電流検出回路と、前記検出された電流値に応じた信号を出力する処理回路と、を備え、
前記回転体には、前記固定体側コイルによって電磁誘導される回転体側コイルを有し、
前記複数のスイッチは、前記回転体側コイルに対して並列に接続され、
前記回転体側コイルと前記複数のスイッチとの間には、それぞれ複数の抵抗体が接続され、
前記複数の抵抗体のそれぞれは、抵抗値が異なることを特徴とする複合スイッチ。
【請求項２】
前記回転体の回転軸を中心にした強磁性体の軸部が配設され、
前記固定体側コイル及び前記回転体側コイルは、前記軸部の周りに巻かれていることを特徴とする請求項１に記載の複合スイッチ。
【発明の詳細な説明】
【技術分野】
【０００１】
本発明は、各種電子機器に用いられる入力装置に関し、特に、回転体に搭載される複合スイッチ装置に関する。
【背景技術】
【０００２】
近年より、電子機器の様々な使用方法に伴い、様々な箇所に入力装置が使用されるようになってきた。例えば、回転体側にスイッチを設け、本体側に信号を送信するような入力装置が考えられる。特許文献１（従来例１）では、車両のステアリングホイール（回転体）に搭載され、車両（本体）側に各種命令を伝達するスイッチ群が提案されている。このような場合は、特許文献１で提案されているように、車両（本体）側の制御部とスイッチ群との接続は、有線であるハーネスで行っているのが一般的である。
【０００３】
しかしながら、このような入力装置は、回転体側と本体側を有線で接続しているため、回転体の回動には、制限があり、ステアリングホイールのようなせいぜい右回転，左回転ともに数回の回転しかしない箇所にしか適用できなかった。そこで、この課題を解決するために、ブルートゥース（登録商標）のような電波を用いた無線通信を使い、回転体と本体との間を無線通信で繋ぐ方法が容易に考えられる。これにより、回転体を無限回数、回動させることができるようになる。しかしながら、回転体の方に電力の供給が必要で、回転側にバッテリが必須となるので、定期的なバッテリの交換が必要であるいう課題が新たに生じてしまった。
【０００４】
一方、特許文献２（従来例２）では、バッテリレス通信を可能とするＲＦＩＤ（Radio Frequency-Identification）のような近距離無線通信を用いて、複数のスイッチ９０１とスイッチ制御ユニット９０３との間の配線（ハーネス）を省略したスイッチ装置９００が提案されている。図８は、従来例２のスイッチ装置９００を説明する図であって、図８（ａ）は、各スイッチ９０１（９０１ａ、９０１ｂ、９０１ｃ、９０１ｄ、９０１ｅ）とスイッチ制御ユニット９０３のアンテナ９２３との位置関係を示す模式図であり、図８（ｂ）は、スイッチ装置９００を示すブロック図である。
【０００５】
図８に示すスイッチ装置９００は、スイッチ操作を行う５個のスイッチ９０１（９０１ａ、９０１ｂ、９０１ｃ、９０１ｄ、９０１ｅ）が設けられたスイッチボックス９０２と、この５個のスイッチ９０１との間で所定の近距離無線通信を行って当該各スイッチ９０１での操作を認識するスイッチ制御ユニット９０３とを備えて構成される。また、スイッチ９０１は、図８（ｂ）に示すように、機械的操作を電気信号に変換するスイッチ機構９１１と、ＲＦ回路９１３ａ，ＣＰＵ９１３ｂ及び不揮発性記憶装置（ＲＯＭ）９１３ｃ等を有したＩＣチップ９１３と、内部アンテナとしてのコイル９１５と、を備えている。また、スイッチ制御ユニット９０３は、図８（ｂ）に示すように、コイル９１５と磁気的な結合をするアンテナ９２３と、アンテナ９２３が接続されアンテナ９２３からの情報を処理する制御部９２７と、を備えている。
【０００６】
そして、図８（ａ）に示すように、これらスイッチ９０１がスイッチボックス９０２の所定のフレーム９１６内に、所定の間隙を隔てるようにして、一列に配列されると、予めフレーム９１６に巻回されたアンテナ９２３がスイッチ９０１の全周に亘ってコイル状に周回されるよう配策される。これにより、スイッチ９０１のコイル９１５とスイッチ制御ユニット９０３のアンテナ９２３とが近接した状態で磁気的な結合が可能となり、スイッチ９０１とスイッチ制御ユニット９０３（図８（ｂ）を参照）との間で無線通信によりスイッチ操作の情報等を送受信できるので、スイッチ９０１とスイッチ制御ユニット９０３との間の配線を省略することができるとしている。
【先行技術文献】
【特許文献】
【０００７】
【特許文献１】特開２０１０−２４１２７５号公報
【特許文献２】特開２００５−３１０６５０号公報
【発明の概要】
【発明が解決しようとする課題】
【０００８】
しかしながら、ＲＦＩＤのような近距離無線通信を用いた従来例２のスイッチ装置９００では、コイル９１５とアンテナ９２３とを近接させ、コイル９１５とアンテナ９２３との位置関係が適切に保たれていなければ、通信ができないシステムであった。このため、回転体側にコイル９１５を有したスイッチ９０１を搭載し、本体側にアンテナ９２３を備えたスイッチ制御ユニット９０３を配置した構成にしても、通信ができない虞があり、実質的にこのシステムを適用することは困難であるという課題があった。
【０００９】
本発明は、上述した課題を解決するもので、回転体に搭載されたスイッチと本体との間に有線配線がない複合スイッチ装置を提供することを目的とする。
【課題を解決するための手段】
【００１０】
この課題を解決するために、本発明の複合スイッチ装置は、固定体と、前記固定体に対して回転可能に支持された回転体と、該回転体の回転を検出する回転検出手段と、前記回転体に設けられた複数のスイッチと、前記回転体に設けられた複数のスイッチと交信する前記固定体に設けられた制御部と、を備えた複合スイッチ装置において、前記固定体には、前記制御部に接続された固定体側コイルを有し、前記制御部が、前記固定体側コイルに給電する給電回路と、前記固定体側コイルに流れる電流値を検出する電流検出回路と、前記検出された電流値に応じた信号を出力する処理回路と、を備え、前記回転体には、前記固定体側コイルによって電磁誘導される回転体側コイルを有し、前記複数のスイッチが、前記回転体側コイルに対して並列に接続され、前記回転体側コイルと前記複数のスイッチとの間には、それぞれ複数の抵抗体が接続され、前記複数の抵抗体のそれぞれは、抵抗値が異なることを特徴としている。
【００１１】
これによれば、本発明の複合スイッチ装置は、固定体と回転体との間に有線配線を用いずに、制御部の給電回路から固定体側コイルに給電した電力を回転体側に伝送することができる。このため、回転体側にバッテリを備える必要がない。また、各スイッチのＯＮ／ＯＦＦに対応して、回転体側コイルに流れる電流（回転体側電流）が変化するようになり、この電流（回転体側電流）の変化に応じて固定体側コイルに流れる電流（固定体側電流）が変化するようになる。そして、この固定体側コイルに流れる電流（固定体側電流）の電流値を電流検出回路で検出し、この電流値の変化を判定することにより、各スイッチのＯＮ／ＯＦＦを検知することができる。これらのことにより、固定体と回転体との間に有線配線を用いずに、回転体側に電力を伝送することができるとともに、回転体側に設けられた複数のスイッチのＯＮ／ＯＦＦの検知ができる複合スイッチ装置を提供できる。
【００１２】
また、本発明の複合スイッチ装置は、前記回転体の回転軸を中心にした強磁性体の軸部が配設され、前記固定体側コイル及び前記回転体側コイルが、前記軸部の周りに巻かれていることを特徴としている。
【００１３】
これによれば、固定体側コイルと回転体側コイルの誘導結合がより強くなる。このことにより、電力の伝送効率が向上するとともに、回転体側コイルの電流値の変化が固定体側コイルの電流値の変化により正確に反映されるようになり、複数のスイッチのＯＮ／ＯＦＦの判定精度が向上する。
【発明の効果】
【００１４】
本発明の複合スイッチ装置は、固定体と回転体との間に有線配線を用いずに、制御部の給電回路から固定体側コイルに給電した電力を回転体側に伝送することができる。このため、回転体側にバッテリを備える必要がない。また、各スイッチのＯＮ／ＯＦＦに対応して、回転体側コイルに流れる電流（回転体側電流）が変化するようになり、この電流（回転体側電流）の変化に応じて固定体側コイルに流れる電流（固定体側電流）が変化するようになる。そして、この固定体側コイルに流れる電流（固定体側電流）の電流値を電流検出回路で検出し、この電流値の変化を判定することにより、各スイッチのＯＮ／ＯＦＦを検知することができる。これらのことにより、固定体と回転体との間に有線配線を用いずに、回転体側に電力を伝送することができるとともに、回転体側に設けられた複数のスイッチのＯＮ／ＯＦＦの検知ができる複合スイッチ装置を提供できる。
【図面の簡単な説明】
【００１５】
【図１】本発明の第１実施形態の複合スイッチ装置を説明する斜視図である。
【図２】本発明の第１実施形態の複合スイッチ装置を説明する側面図である。
【図３】本発明の第１実施形態の複合スイッチ装置を説明する上面図である。
【図４】本発明の第１実施形態の複合スイッチ装置を説明する図であって、図３に示すＶＩ−ＶＩ線における断面を模式化した構成断面図である。
【図５】本発明の第１実施形態の複合スイッチ装置を説明するブロック図である。
【図６】本発明の第１実施形態に係わる複合スイッチ装置の回路図である。
【図７】本発明の第１実施形態の変形例１を説明する図であって、図４と比較した構成断面図である。
【図８】従来例２のスイッチ装置を説明する図であって、図８（ａ）は、各スイッチとスイッチ制御ユニットのアンテナとの位置関係を示す模式図であり、図８（ｂ）は、スイッチ装置を示すブロック図である。
【発明を実施するための形態】
【００１６】
以下、本発明の実施の形態について図面を参照して説明する。
【００１７】
［第１実施形態］
図１は、本発明の第１実施形態の複合スイッチ装置１０１を説明する斜視図である。図２は、本発明の第１実施形態の複合スイッチ装置１０１を説明する側面図である。図３は、本発明の第１実施形態の複合スイッチ装置１０１を説明する上面図である。図４は、本発明の第１実施形態の複合スイッチ装置１０１を説明する図であって、図３に示すＶＩ−ＶＩ線における断面を模式化した構成断面図である。
【００１８】
本発明の第１実施形態の複合スイッチ装置１０１は、図１ないし図４に示すように、ハウジングＨ９に保持された固定体１と、固定体１に対して回転可能に支持された回転体３と、回転体３の回転を検出する回転検出手段５と、回転体３に設けられた複数のスイッチ６と、複数のスイッチ６にそれぞれ対応した複数の抵抗体８と、複数のスイッチ６と交信する固定体１側に設けられた制御部７と、制御部７に接続された固定体側コイルＣ２と、固定体側コイルＣ２によって電磁誘導される回転体側コイルＣ４と、から構成される。
【００１９】
複合スイッチ装置１０１の固定体１は、図４に示すように、側壁部１１ｗ及び鍔部１１ｖを有した基体１１と、中空体１２ｃ及び台座部１２ｄを有した支持体１２と、基体１１及び支持体１２の一部を収容するハウジングＨ９と、ハウジングＨ９と係合し収容部９９ｓを形成する台座部材Ｄ９と、から構成されている。
【００２０】
この基体１１は、図４に示すように、図１ないし図３に示す箱状のハウジングＨ９の開口部Ｈ９ｋに側壁部１１ｗが挿通され、ハウジングＨ９の天井部Ｈ９ｔに鍔部１１ｖが載置され、ハウジングＨ９に係合保持されている。また、この支持体１２は、図４に示すように、基体１１の側壁部１１ｗの内側に中空体１２ｃが挿通され、上下移動が可能に基体１１に支持されている。なお、この上下移動可能に支持する機構についての詳細な説明は省略するが、基体１１と支持体１２との間にコイルばねのような付勢部材を配置することで容易に達成している。
【００２１】
また、ハウジングＨ９の天井部Ｈ９ｔには、図１ないし図４に示すように、基体１１の鍔部１１ｖを覆うようにカバー部材Ｃ９が配設されている。この基体１１、支持体１２、ハウジングＨ９、台座部材Ｄ９及びカバー部材Ｃ９は、ＡＢＳ樹脂（acrylonitrilebutadiene styrene copolymer）等の合成樹脂を用い、射出成形で容易に作製することができる。
【００２２】
また、固定体１側には、図４に示すように、回転体３の回転軸を中心にした強磁性体の軸部Ｊ１が支持体１２の中空体１２ｃ内に配設されており、この軸部Ｊ１の周りに固定体側コイルＣ２が巻かれている。この軸部Ｊ１はハウジングＨ９に固定されている（図示していない）。また、固定体１側の収容部９９ｓには、プリント配線板(ＰＷＢ、printed wiring board)を用いたメイン基板１７が台座部材Ｄ９に載置されて配設されている。また、このメイン基板１７には、制御部７が設けられていて、詳細な図示はしていないが、この制御部７に固定体側コイルＣ２が接続されている。
【００２３】
複合スイッチ装置１０１の回転体３は、図１及び図２に示すように、操作者の手指で掴まれるような有底筒状の形状をしており、操作者の手指により、回転操作や押圧操作等の入力操作が行われる。この回転操作ができるようにするため、回転体３は、固定体１の支持体１２に対し回転可能に支持されている。なお、この回転可能に支持する機構についての詳細な説明は省略するが、ベアリング機構を用いて容易に達成できる。また、回転操作時のカクカク感触もカム機構を用いて容易に達成している。
【００２４】
また、回転体３は、ＡＢＳ樹脂等の合成樹脂を用いて作製され、図４に示すように、天面部１３ｍを有した上ケース１３と、支持体１２に支持される下ケース３３と、上ケース１３と下ケース３３との係合部を覆うようにして配設されたリング状の横ケース５３と、から構成され、上ケース１３と下ケース３３とで空間部２３ｃを形成している。そして、この空間部２３ｃには、プリント配線板(ＰＷＢ、printed wiring board)を用いたサブ基板３７が配設されている。また、このサブ基板３７における、上ケース１３の天面部１３ｍと対向する正対面３７ｍには、複数（本発明の第１実施形態では４つ）のスイッチ６が搭載されている。なお、このサブ基板３７は、回転体３に保持されて、回転体３の回転に伴って回転する。
【００２５】
また、回転体３の上ケース１３の天面部１３ｍには、図１ないし図４に示すように、サブ基板３７に搭載された４つのスイッチ６に対応して、４つのキートップＫ６が設けられており、操作者により回転操作や押圧操作以外のスイッチ操作が行われるようになっている。また、回転体３の空間部２３ｃには、固定体側コイルＣ２によって電磁誘導される回転体側コイルＣ４が配設されており、この回転体側コイルＣ４は、前述した軸部Ｊ１の周りに、固定体側コイルＣ２と対向して巻かれている。
【００２６】
複合スイッチ装置１０１の回転検出手段５は、図４に示すように、回転体３の回転軸を中心にして円周上に配設されたリング状の磁石２５と、磁石２５に対向配置されたホール素子を用いた磁気センサ３５と、から構成され、回転体３の回転動作を検出している。この磁石２５は回転体３の下ケース３３に固定されており、一方、この磁気センサ３５は固定体１の支持体１２に固定されメイン基板１７に接続されている。
【００２７】
複合スイッチ装置１０１のスイッチ６は、一般に広く用いられているプッシュスイッチを用い、回転体３側のサブ基板３７の正対面３７ｍに４つ設けられている。
【００２８】
複合スイッチ装置１０１の抵抗体８は、一般に広く用いられているチップ抵抗を用い、回転体３側のサブ基板３７の正対面３７ｍに４つ設けられている。なお、本発明の第１実施形態では、４つのスイッチ６及び４つの抵抗体８を用いているが、この４つに限るものではなく、複数のスイッチ６及び抵抗体８を有していれば良い。
【００２９】
次に、図５及び図６を用いて、本発明の第１実施形態の複合スイッチ装置１０１に係わる固定体１と回転体３との通信システムについて説明する。図５は、本発明の第１実施形態の複合スイッチ装置１０１を説明するブロック図である。図６は、本発明の第１実施形態に係わる複合スイッチ装置の回路図である。
【００３０】
複合スイッチ装置１０１の固定体１側に設けられた制御部７は、メイン基板１７に設けられ、図５に示すように、固定体側コイルＣ２に給電する給電回路ＳＣと、固定体側コイルＣ２に流れる電流値を検出する電流検出回路ＫＣと、検出された電流値に応じた信号を出力する処理回路ＴＣと、を備えて構成される。そして、回転体３側に電力を供給するとともに、回転体３側の複数のスイッチ６と交信をしている。
【００３１】
制御部７の給電回路ＳＣは、図６に示すように、例えば５０ｋＨｚの発振回路を有した交流信号源ＡＣ１を備えており、この交流信号源ＡＣ１は、負荷抵抗ＦＲ１（図中に示す抵抗Ｒｓ１）を介して固定体側コイルＣ２に接続されている。この給電回路ＳＣにより、固定体側コイルＣ２に給電を行っている。これにより、固定体１と回転体３との間に有線配線を用いずに、固定体側コイルＣ２に給電した電力を回転体３側に伝送することができる。このため、回転体３側にバッテリを備える必要がない。
【００３２】
また、本発明の第１実施形態では、図４に示すように、固定体側コイルＣ２及び回転体側コイルＣ４が強磁性体の軸部Ｊ１の周りに巻かれているので、固定体側コイルＣ２と回転体側コイルＣ４の誘導結合がより強くなっている。このことにより、固定体側コイルＣ２及び回転体側コイルＣ４間の電力の伝送効率が向上している。
【００３３】
制御部７の電流検出回路ＫＣは、図６に示すように、複数の抵抗（図中に示すＲ１、Ｒ２、Ｒ３、Ｒ４）とオペレーショナル・アンプリファイア(Operational Amplifier)を組み合わせて回路を構成し、負荷抵抗ＦＲ１の両端に接続されている。この電流検出回路ＫＣにより、固定体側コイルＣ２に流れる電流値を増幅し、僅かな電流値の変化を検出している。
【００３４】
制御部７の処理回路ＴＣは、図６に示すように、アナログ−デジタル変換回路（ＡＤＣ、Analog-to-digital converter）を備えて構成されており、コンデンサＣＡ１（図中に示すＣ）を介して電流検出回路ＫＣに接続されている。この処理回路ＴＣにより、電流検出回路ＫＣで検出された電流値のアナログ信号を中央演算処理装置（ＣＰＵ、Central Processing Unit）で処理できるデジタル信号に変換して出力している。
【００３５】
複合スイッチ装置１０１の回転体３側の回路は、サブ基板３７に設けられ、図６に示すように、回転体側コイルＣ４と４つのスイッチ６（図中に示すＡ、Ｂ、Ｃ、Ｄ）と４つの抵抗体８（図中に示すＲａ、Ｒｂ、Ｒｃ、Ｒｄ）と、を有して構成されている。そして、図６に示すように、４つのスイッチ６が回転体側コイルＣ４に対して並列に接続され、４つの抵抗体８のそれぞれが、回転体側コイルＣ４と４つのスイッチ６との間に直列に接続されている。
【００３６】
また、４つの抵抗体８のそれぞれは、異なる抵抗値にしている。このため、各スイッチ６のＯＮ／ＯＦＦに対応して、回転体側コイルＣ４に流れる電流（回転体側電流）が変化するようになり、この電流（回転体側電流）の変化に応じて固定体側コイルＣ２に流れる電流（固定体側電流）が変化するようになる。そして、この固定体側コイルＣ２に流れる電流（固定体側電流）の電流値を電流検出回路ＫＣで検出し、この電流値の変化を判定することにより、各スイッチ６のＯＮ／ＯＦＦを検知することができる。
【００３７】
また、本発明の第１実施形態では、固定体側コイルＣ２及び回転体側コイルＣ４が強磁性体の軸部Ｊ１の周りに巻かれているので、固定体側コイルＣ２と回転体側コイルＣ４の誘導結合がより強くなっている。このことにより、回転体側コイルＣ４の電流値の変化が固定体側コイルＣ２の電流値の変化により正確に反映されるようになり、複数のスイッチ６のＯＮ／ＯＦＦの判定精度が向上する。
【００３８】
以上のように構成された本発明の第１実施形態の複合スイッチ装置１０１における、効果について、以下に説明する。
【００３９】
本発明の第１実施形態の複合スイッチ装置１０１は、固定体１に固定体側コイルＣ２を設け、回転体３に固定体側コイルＣ２によって電磁誘導される回転体側コイルＣ４を設けたので、固定体１と回転体３との間に有線配線を用いずに、制御部７の給電回路ＳＣから固定体側コイルＣ２に給電した電力を回転体３側に伝送することができる。このため、回転体３側にバッテリを備える必要がない。
【００４０】
また、回転体側コイルＣ４に対して並列に接続された４つのスイッチ６（６Ａ、６Ｂ、６Ｃ、６Ｄ）と、回転体側コイルＣ４と複数のスイッチ６との間にそれぞれ接続された複数の抵抗体８（８ａ、８ｂ、８ｃ、８ｄ）と、を設け、４つの抵抗体８のそれぞれは、異なる抵抗値にした構成としている。このため、各スイッチ６のＯＮ／ＯＦＦに対応して、回転体側コイルＣ４に流れる電流（回転体側電流）が変化するようになり、この電流（回転体側電流）の変化に応じて固定体側コイルＣ２に流れる電流（固定体側電流）が変化するようになる。そして、この固定体側コイルＣ２に流れる電流（固定体側電流）の電流値を電流検出回路ＫＣで検出し、この電流値の変化を判定することにより、各スイッチ６のＯＮ／ＯＦＦを検知することができる。
【００４１】
以上のことにより、固定体１と回転体３との間に有線配線を用いずに、回転体３側に電力を伝送することができるとともに、回転体３側に設けられた複数のスイッチ６のＯＮ／ＯＦＦの検知ができる複合スイッチ装置１０１を提供できる。
【００４２】
また、固定体側コイルＣ２及び回転体側コイルＣ４が強磁性体の軸部Ｊ１の周りに巻かれているので、固定体側コイルＣ２と回転体側コイルＣ４の誘導結合がより強くなっている。このことにより、固定体側コイルＣ２及び回転体側コイルＣ４間の電力の伝送効率が向上するとともに、回転体側コイルＣ４の電流値の変化が固定体側コイルＣ２の電流値の変化により正確に反映されるようになり、複数のスイッチ６のＯＮ／ＯＦＦの判定精度が向上する。
【００４３】
なお、本発明は上記実施形態に限定されるものではなく、例えば次のように変形して実施することができ、これらの実施形態も本発明の技術的範囲に属する。
【００４４】
＜変形例１＞
図７は、本発明の第１実施形態に係わる変形例１の複合スイッチ装置Ｃ１０１を説明する図であって、図４と比較した構成断面図である。上記第１実施形態では、回転体３の回転軸を中心にした軸部Ｊ１を設け、この軸部Ｊ１の周りに固定体側コイルＣ２及び回転体側コイルＣ４を巻く構成にしたが、軸部Ｊ１を設けずに、例えば図７に示すように、回転体３の外周近傍に固定体側コイルＣＣ２及び回転体側コイルＣＣ４を設けた構成であっても良い。
【００４５】
＜変形例２＞
上記第１実施形態では、軸部Ｊ１を固定体１側のハウジングＨ９に固定する構成としたが、回転体３側に固定する構成でも良い。
【００４６】
＜変形例３＞
上記第１実施形態では、軸部Ｊ１を支持体１２の中空体１２ｃ内に配設して構成したが、中空体１２ｃの部分を中空にせずに柱状の柱状部とし、この支持体の柱状部を軸部として、柱状部に固定体側コイルＣ２及び回転体側コイルＣ４を巻いた構成としても良い。
【００４７】
＜変形例４＞
上記第１実施形態では、固定体側コイルＣ２及び回転体側コイルＣ４が軸部Ｊ１を用いた有芯コイルの構成に好適にしたが、固定体側コイル及び回転体側コイルが軸部Ｊ１を用いない空芯コイルの構成であっても良い。
【００４８】
＜変形例５＞
上記第１実施形態では、固定体側コイルＣ２及び回転体側コイルＣ４が軸部Ｊ１に巻き付けられたヘリカルコイルを用いた構成にしたが、例えば図７に示すような位置で、平面コイルが対向した、固定体側コイル及び回転体側コイルであっても良い。
【００４９】
本発明は上記実施の形態に限定されず、本発明の目的の範囲を逸脱しない限りにおいて適宜変更することが可能である。
【符号の説明】
【００５０】
１  固定体
３  回転体
５  回転検出手段
６、６Ａ、６Ｂ、６Ｃ、６Ｄ  スイッチ
７  制御部
８、８ａ、８ｂ、８ｃ、８ｄ  抵抗体
Ｃ２、ＣＣ２  固定体側コイル
Ｃ４、ＣＣ４  回転体側コイル
Ｊ１  軸部
ＫＣ  電流検出回路
ＳＣ    給電回路
ＴＣ    処理回路
１０１、Ｃ１０１  複合スイッチ装置
【図１】
2015026426.tif 000003
【図２】
2015026426.tif 000004
【図３】
2015026426.tif 000005
【図４】
2015026426.tif 000006
【図５】
2015026426.tif 000007
【図６】
2015026426.tif 000008
【図７】
2015026426.tif 000009
【図８】
2015026426.tif 000010